Podtech/llm-jp-corpus-v4-ja_patent huggingface dataset:
(57)【要約】【課題】  本発明は、定着温度による印刷品質の低下、用紙スタッキング不良の無い電子写真式印刷装置を提供する。【解決手段】  本発明は、印刷用紙に印刷された用紙情報の入ったマトリクスコードを、用紙走行部近傍に実装したマトリクスコードリーダで用紙自動装填時に読み取ること読み取るマトリクスコードリーダを実装し、読み取ったマトリクスコードの情報を解析し、用紙に適合した定着設定温度に変更する定着温度変更手段を備えたことを特徴とする。【選択図】  図１
2007193175.tif 000002
【特許請求の範囲】
【請求項１】
用紙情報の入ったマトリクスコードを読み取るマトリクスコードリーダを実装したことを特徴とする電子写真式印刷装置。
【請求項２】
前記マトリクスコードが予め用紙に印刷されており、そのマトリクスコードを用紙走行部近傍に実装されたマトリクスコードリーダで用紙自動装填時に読み取ることを特徴とする請求項１記載の電子写真式印刷装置。
【請求項３】
前記マトリクスコードを読み取り、そのマトリクスコードの情報を解析し、用紙に適合した定着設定温度に変更する定着温度変更手段を備えたことを特徴とする請求項１又は請求項２記載の電子写真式印刷装置。
【請求項４】
前記マトリクスコードリーダは、電子写真式印刷装置から取り外し可能であり、用紙の梱包箱上、又は、管理シート上に印刷された用紙情報の入ったマトリクスコードを読取り、そのマトリクスコードの情報を解析し、用紙に適合した定着設定温度に変更する定着温度変更手段を備えたことを特徴とする請求項１又は請求項２記載の電子写真式印刷装置。
【発明の詳細な説明】
【技術分野】
【０００１】
本発明は、電子写真式印刷装置に関する。
【背景技術】
【０００２】
従来の電子写真式印刷装置を図３により説明する。画像形成処理の制御のためのパラメータとして用紙の紙質に依存する紙質依存パラメータを複数備え、複数のプリセット用紙種別の各々ごとにその用紙種別に対応する紙質依存パラメータの値の組をプリセット紙種設定値として保持し、指定された用紙種別に対応する紙質依存パラメータの値の組を用いて画像形成処理を制御する画像形成装置において、各紙質依存パラメータの値について個別的に設定を受け付けるための個別設定手段と、この個別設定手段で設定された各紙質依存パラメータの値の組をカスタム紙種設定値として保持するカスタム設定記憶手段と、を備え、このカスタム設定記憶手段に記憶されたカスタム紙種設定値を用いて画像形成処理を制御することを可能とした印刷装置が知られている。
【０００３】
【特許文献１】特開２００２−７１４６８号公報
【発明の開示】
【発明が解決しようとする課題】
【０００４】
従来の技術によると、使用する用紙の種類によっては、型名、メーカ、連量、厚さ、用紙サイズ、圧着、ラベル等の仕様などを確認し、それに合せ定着設定温度をオペレータが変更する必要があった。用紙の架け替え毎に、用紙に適合する定着設定温度を変更し直す場合が頻繁に行なわれるようになると、その設定時間が印刷業務の効率悪化を招き、かつ、変更操作を誤る可能性もあった。
【０００５】
本発明は、前記問題を解決する為になされたものであり、その目的は、面倒な操作を必要とせず、型名、メーカ、連量、厚さ、用紙サイズ、圧着、ラベル等の用紙情報をマトリクスコードに格納し、そのマトリクスコードをマトリクスコードリーダで読取ることで素早く、かつ、間違いなく用紙に適合する定着設定温度に変更できる電子写真式印刷装置を提供することにある。
【課題を解決するための手段】
【０００６】
上記の目的は、用紙情報の入ったマトリクスコードを読み取るマトリクスコードリーダを実装することによって達成される。
【発明の効果】
【０００７】
本発明によれば、現状のように用紙の装填時、用紙の種類毎に定着設定温度を操作パネル等から入力、確認、又は選択する必要が無く、用紙上に印刷された用紙情報の格納されたマトリクスコードをマトリクスコードリーダで読み取ることにより、用紙に適合した定着設定温度に自動的に素早く変更することが出来る電子写真式印刷装置を提供することが出来る。
【発明を実施するための最良の形態】
【０００８】
以下、本発明の実施例を、図１、図２、図４、図５を用いて説明する。
【実施例１】
【０００９】
用紙情報を格納しているマトリクスコード１を予め印刷してある用紙２は、モータ５の回転動作が伝達されているトラクタ４により、感光ドラム９−転写コロトロン１１間、定着ローラ１７部へと自動装填される時、用紙走行部近傍に実装されたマトリクスコードリーダ３により、前記マトリクスコード１を読み取る。
【００１０】
前記マトリクスコード１の情報は、コントローラ２２に送られ、コントローラ２２により解析され、前記用紙２に適した定着設定温度がＣＰＵ２１に報告される。ＣＰＵ２１は温度センサ２０で定着ローラ１７の温度を検知しながら、ヒータランプ１６をドライバ１９で点灯・消灯制御することで、定着ローラ１７を前記用紙２に適合した定着設定温度に変更することが出来る。
【実施例２】
【００１１】
図４及び図５は、他の実施例を示す。電子写真式印刷装置２４に実装されているマトリクスコードリーダ３は、用紙２の用紙梱包箱２５、又は用紙管理シート２６に印刷されている前記用紙情報を格納しているマトリクスコード１を読取れるように取り外し、用紙２上に用紙情報を格納しているマトリクスコード１が予め印刷されていない場合でも、素早く、用紙に適合した定着設定温度に変更できる。
【図面の簡単な説明】
【００１２】
【図１】本発明の実施例を示す説明図。（実施例１）
【図２】本発明の実施例を示す外観図。（実施例１）
【図３】従来技術を示す説明図。
【図４】本発明の他の実施例を示す説明図。（実施例２）
【図５】本発明の他の実施例を示す外観図。（実施例２）
【符号の説明】
【００１３】
１はマトリクスコード、２は用紙、３はマトリクスコードリーダ、４はトラクタ、５はモータ、６は現像ローラ、７はモータ、８はトナー、９は感光ドラム、１０はモータ、１１は転写コロトロン、１２は高圧電源、１３はレーザ、１４は帯電器、１５は高圧電源、１６はヒータランプ、１７は定着ローラ、１８はモータ、１９はドライバ、２０温度センサ、２１はＣＰＵ、２２はコントローラ、２３は操作パネル、２４は電子写真式印刷装置、２５は用紙梱包箱、２６は用紙管理シートである。
【図１】
2007193175.tif 000003
【図２】
2007193175.tif 000004
【図３】
2007193175.tif 000005
【図４】
2007193175.tif 000006
【図５】
2007193175.tif 000007
(57)【要約】【課題】書籍、電子データ化による販売、インターネットホームページに公開することにより、より多くの国民に情報公開が可能となり国、地方公共団体等諸活動の行動の説明責任の監視が可能となる。また、本来の目的を無視した目的外利用を監視し、逆に誰もがむやみやたらに情報公開により事業を行うことを阻止できる。情報公開による開示請求での業務は、場合によっては、相当の時間を要し本来の業務を阻害する可能性がある。【解決手段】  国、地方公共団体その他の独立行政法人等の情報公開制度等による開示情報を常に監視をする必要があり、各項目ごとに分類してデータベース化する必要がある。【特許請求の範囲】
【請求項１】
行政機関の保有する情報の公開に関する法律（平成十一年五月十四日法律第四十二号）及び、各都道府県若しくは市町村等各種行政機関関係による情報公開条例、要綱等（以下「情報公開制度等」という。）により、開示された文書等を、印刷物、電子媒体等としての販売又は、整理、構成、修正、改良、電子化、統計処理、加工処理並びに考察追加して印刷物、電子媒体等としての販売及びインターネットにより公開すること。
ただし、情報公開制度等による申請書に利用目的記入欄があり、上記の目的に使用する旨が明確に記入してあるもの、個人使用又は、裁判等訴訟に利用するものを除く。
【発明の詳細な説明】
【背景技術】
【０００１】
もともと情報公開法は、国民主権の理念にのっとり、行政文書の開示を請求する権利につき定めること等により、行政機関の保有する情報の一層の公開を図り、もって政府の有するその諸活動を国民に説明する責務が全うされるようにするとともに、国民の的確な理解と批判の下にある公正で民主的な行政の推進に資することを目的とされ、各行政団体等もその目的に基づき条例、要綱等作成し、情報開示している。それを、１個人にのみに公開され、物件によっては、国民全体に公開されないという欠点があった。
【特許文献１】特になし
【図面の簡単な説明】
【０００２】
イメージとしては、書籍名
【図１】のとおりである。
【図１】
2007193619.tif 000002
(57)【要約】      （修正有）【課題】記念碑に関する知識や記念碑への寄付者のメッセージを読むことができ親近感や寄付の動機付けをもたらす表示方法を提供する。【解決手段】記念碑建立時に、寄付者から記念碑に関するメッセージ（公的秩序を乱す内容や宣伝を除く）を募り、記念碑の周りに装飾するというもの。設置が可能な限り、記念碑建立後も、寄付者のメッセージを受け付け、設置する。メッセージを刻む素材には、強度の高い花こう岩を使用する。【選択図】なし【特許請求の範囲】
【請求項１】
記念碑の周囲をタイルで装飾する。そのタイルには、記念碑に関するメッセージを刻む、メッセージ付記念碑の設計。
【請求項２】
記念碑の周囲をタイルで装飾する。そのタイルの素材は、海岸や山頂の設置にも対応した耐久性高い“花こう岩”を使用したメッセージ付き記念碑の設計。
【発明の詳細な説明】
【発明の詳細な説明】
【発明に属する技術分野】
【０００１】本発明は、記念碑の周囲をタイルで装飾し、そのタイルには、記念碑に関するメッセージを刻むというものである。そのタイルの素材は、耐久性の高い“花こう岩”を使用しているため、海岸や山頂の設置にも対応している。記念碑建立後も、タイルを装飾する場所がある限り、タイルを足増しすることができる。
【背景技術】
【０００２】記念碑そのものにメッセージを刻んだり、記念碑の周りに名前（個人名・企業名・企業マークなど）を刻むものはあるが、記念碑の周囲にメッセージを刻むものは無かった。
石の素材は、花こう岩を使用している。寺や神社が、寄付者の氏名を境内や石に刻む場合の石は、“あんざん岩”と呼ばれる石を使うのが一般的である。花こう岩とあんざん岩は、どちらも強度の高い岩石だが、花こう岩のほうが強度がやや高い。
【発明を実施するための最良の形態】
【０００３】記念碑の運営は、寄付によって行う。その寄付者から、記念碑に関するメッセージ（公的秩序を乱す内容や宣伝を除く）を募り、記念碑の周りに装飾するというもの。設置が可能な限り、記念碑建立後も、寄付者のメッセージを受け付け、設置する。メッセージを刻む素材には、強度の高い花こう岩を使用した。
【発明の効果】
【０００４】このようにすれば、記念碑を見学に訪れたものが、記念碑だけでなく、その寄付者のメッセージをも読むことができ、記念碑に関する知識だけでなく、それを支える人たちの声を聞き、親近感をもち、寄付してみよう、という動機付けにもつながる。
(57)【要約】      （修正有）【課題】オーケストラ用コントラバスのように、ボンボンと歯切れの良い電気ベースを提供する。【解決手段】ピアノ線を弦として使う限り震動が良すぎて歯切れの良い低音が得られないので、振動の悪い細長い長方形の薄い金属板が最適の振動源となることを思いついた。この振動板の端を弾く機構は鍵盤型とし、ピアノやエレクトーン演奏の如くキーを押すようにした。尚、振動板の振動を電気信号に変換する方式は電気ギターや電気ベースと同様、永久磁石に細いコイル線を多数巻き、磁極近くで振動板を振動させて電気信号に変換させる方式を流用した。【選択図】図２
2007140423.tif 000002
【特許請求の範囲】
【請求項１】
小型Ｕ字型永久磁石の両極それぞれの腕に、細いコイル線を数百回巻いて台座に固定し、更に両極面上約５ｍｍの位置に細長い長方形の薄い金属板を振動板としてセットし、磁極側とは反対側は固定する。  これを一単位として数単位を台座上に横一列に等間隔にして固定し、全ての引き出し線は直列に結線して両端をアンプの入力端子に接続する。  このコイルを巻いた永久磁石列の上部に鍵盤を取り付け、キーを押せば振動板の磁極側の端を弾くような機構にしてキーを押すと、スピーカーがオーケストラ演奏で使用するベース、即ちコントラバスに近似した低音を発っする金属板振動方式鍵盤型電気ベースである。  尚、金属属板に磁石が付着しない材質のものを使用した場合は、磁極側振動板の端に永久磁石横断面積よりやや広目の薄い鉄または珪素鋼の板を貼り付ける必要がある。  また、振動板の長さや幅を順次に変えて行って音階をつくる。
【発明の詳細な説明】
【技術分野】
【０００１】  本発明は、電気弦楽器の製造に関するものである。
【背景技術】
【０００２】  近年、若い人達の間で結成されている電気ギターを用いたロックバンドや、その他の弦楽器合奏でも名称は異なるが電気ベースを伴奏楽器として用いている。【０００３】  然し、ベースとは称されているものの、オーケストラの演奏で用いられるベース、即ちコントラバスとは根本的に異なり、電気ギターと殆ど変わりなく、単に低音を発生させるために太めのピアノ線を弦として使っているだけである。  これに対してオーケストラ用ベースは、大変太く極めて振動しにくい有機質の糸を弦としており、そのため振動は急速に減衰して振動がゼロとなるのでボンボンと極めて歯切れの良い低音を発っするのに対して、電気ベースのピアノ線は極めて振動が良いためボーンボーンと長く尾を引く余韻乃至唸り音としか聞こえない。
【発明が解決しようとする課題】
【０００４】  それで弦振動を音源とせず、小型でオーケストラが用いるベース音に近似した歯切れの良い低音を発っする伴奏楽器が作出出来ぬものかと考えたが、そのためには第一に弦振動に依らずに低音を発生させるための原理、機構をどうするか、第二に発生した低音をアンプに入力させるためにどのような変換機構を用いて電気信号に変えるのが最適かの二点が課題となった。
【課題を解決するための手段】
【０００５】  第一の課題についてはいろいろ試行した結果、細長い長方形の薄い金属板が弾いたときの振動が非常に悪く、そのためボンボンと云う歯切れの良い低音を発っすることが分かったので、金属板振動方式を音源とすることにした。
【０００６】  金属板振動方式を採用すると、必然的にピアノやエレクトーンと同じ鍵盤型となり、キーを押して演奏することになる。  その作動機構は、キーを押し下げると振動板を弾く爪の先端が、振動板の端を僅かに引っかけた状態で下がり、爪が或る位置に来ると爪先から振動板の端が外れて激しく振動し、この振動が音源となるのである。
【０００７】  第二の課題である金属板の振動を電気信号に変換する方式としては、最っとも簡単で費用もあまりかからない方法にマイクロフォンで振動音を拾う機構があるが、この方法では不安定で周りの騒音を拾い易く、且つハウリングを起こし易い等の短所もある。  それで一般的に電気楽器に用いられている変換方式、即ち振動板の端の位置に永久磁力に細いコイル線を多数巻いたものをセットし、電気信号に変換させることで解決した。
【発明を実施するための最良の形態】
【０００８】  鍵盤の任意の４のキーを押し下げると、キーの裏側に突き出ている５の爪押しバーが６の爪を押し下げ、この爪先が途中で１の振動板の端を僅かに引っかけて振動板も押し下げる。【０００９】  ５の爪が或る位置まで押し下げられると、爪先から１の振動板の端が外れて振動板が上下に激しく振動する。【０００９】  この振動板の振動に依り、３の永久磁石の磁力線に振動板の振動数と波形に対応した乱れが生じ、粗密の生じた磁力線が１０のコイルを通過するとき、コイルに起電力に依って微弱な電圧が発生し、１１の引き出し線をアンプの入力端子に接続すれば、振動板の振動が電気信号に変換された微弱な信号電流が流れる。【００１０】  上記微弱電圧は、アンプで数千乃至数万倍に増幅されてスピーカーが大音量の低音を発っする。
【発明の効果】
【００１１】  スピーカーが発っする低音は、オーケストラ等の管弦楽で使用するコントラバスに近似した歯切れの良い伴奏音であって、余韻乃至唸り音を発っする電気ベースと比較して数段優れているものと確信する。
【００１２】  本発明は、主としてエレキバンド乃至ロックバンドを対象として開発したものであるが、最近、或る中学校のブラスバンドが伴奏楽器が無いのに困り果て、室内演奏に限り二台のコントラバスを使用しているのを見て、本発明の電気ベースは管楽器だけのバンド演奏を伴奏しても十分にその効果が発揮出来ること、更には演奏楽器の種類を選ばないことを知るに至った。
【図面の簡単な説明】
【図１】  本発明の正面図
【図２】  本発明の側面図
【符号の説明】
１    振動板
２    珪素鋼板
３    永久磁石
４    キー
５    爪押し下げバー
６    爪
７    爪ホルダー
８    爪ホルダーサポート
９    スプリング
１０  コイル
１１  引き出し線
【図１】
2007140423.tif 000003
【図２】
2007140423.tif 000004
(57)【要約】【目的】カメラＣＤ脚はデジタルカメラの三脚として使用するものである。旅先などでカメラの三脚は荷物になり持ち運びにかさばる。本案は持ち運びを簡単にしたものである。カメラの雲台と市販のコンパクトディスク（以下ＣＤと記す）を合体すれば安定した道具となる。２つを離すことで収納の場所は少なくてすむ。ＣＤは薄くて持ち運んでもかさばらない。また雲台だけなら小さくかさばらない。【構成】    カメラの雲台（１）と留め具（３）の部分が運搬の時は合体している。組み立てる時は留め具部分を取り外しＣＤ（２）を挟んで再び留め具で固定させ完成する。【選択図】図１
2007140424.tif 000002
【特許請求の範囲】
【請求項１】
カメラの雲台（１）の底部にコンパクトディスク（２）と雲台を固定するための留め具（３）を取り付けたカメラＣＤ脚
【発明の詳細な説明】
【発明の詳細な説明】
【産業上の利用分野】
【０００１】この発明は三脚に関するものである。
【背景技術】
【０００２】  従来のデジタルカメラ用のミニ三脚は旅の荷物としてはかさばるものである。かさばりが少なくなるように考案したものである。
【発明が解決しようとする課題】
【０００３】  最近のデジタルカメラは小さく軽いため旅先などでは小さなミニ三脚が便利である。三脚は耐久性を持たせるため金属部分が多く重くなる。旅の荷物としてはかさばり重くなる。かさばりが少なく収納が便利なものが必要である。
三脚の欠点
（イ）脚の部分は金属が多く重くなる。
（ロ）機材の転倒防止のため安定した３支点の脚が必要である。
（ハ）脚の部分は耐久性を持たせるため金属でできている。
本案はこれらの欠点を除くために考えだされたものである。
（イ）脚に対応するコンパクトディスク（以下ＣＤと記す）は軽い。
（ロ）ＣＤの面積は１１３ｃｍ２あり機材を支える土台としてはある程度安定している。
（ハ）３００ｇぐらいまでのデジタルカメラならＣＤの材質は力に対し割れにくくある程度の耐久性がある。
【課題を解決するための手段】
【０００４】  カメラの三脚は安定した３本の脚で機材の転倒を防いでいる。本案のカメラＣＤ脚は土台のＣＤが全体の大きさの割に大きな底面をもっている。これにより倒れにくく安定したものになる。また雲台とＣＤを分解して持ち運ぶことで収納を小さくした。
１，ＣＤ部分は薄くバッグの底に詰め込んでもかさばりが少ない。
２，雲台部分なら三脚全体より小さくなる。
３，旅先でもＣＤなら入手可能である。
【実施例】
【０００５】  カメラの雲台（１）と留め具（３）の部分が運搬の時は合体している。組み立てる時は留め具部分を取り外しＣＤ（２）を挟んで再び留め具で固定させる。
雲台とＣＤを固定する留め具はねじでも磁石でもスナップでも２つを固定するものであればよい。
【発明の効果】
【０００６】  （１）カメラ以外にも機材を固定できる。
【図面の簡単な説明】
【図１】  本案の断面図を示す。
【図２】  本案の留め具部分の拡大図を示す。
【符号の説明】
（１）  雲台
（２）  ＣＤ
（３）  留め具
【図１】
2007140424.tif 000003
【図２】
2007140424.tif 000004
(57)【要約】      （修正有）【課題】読解問題／語学訳問題をコンピュータや携帯電話等のディスプレイ上で学習することを可能にする教材および語句の記憶に用いる教材の様式を提供する。【解決手段】意味のまとまりで区切りったデータを用意し、語訳すべき語句（２）に対し、語訳の選択肢欄（３）から選ばせれることによって、コンピュータによる読解問題／語訳問処理を可能にする。さらに、語句の最初の１つ以上の文字を表示して語句を記入させることによって、語句の選択肢をせばめ、コンピュータ処理を可能にする。これにもとずきコンピュータ・プログラムによって、多量のデータを利用した教材群を一括作成する。【選択図】図２
2007140427.tif 000002
【特許請求の範囲】
【請求項１】
語学の読解問題／語学訳問題を学習する場合に意味のまとまりごとに選択項目あるいは入力項目を与えて答えさせる教材群。（これを「分割式語学訳選択／入力システム」と称する）
【請求項２】
上記教材群は、多量のデータを一括処理できるコンピュータ・プログラムによって作成される。
【発明の詳細な説明】
【技術分野】
【０００１】  この発明は、読解問題／語学訳問題をコンピュータや携帯電話等のディスプレイ上で学習することを可能にする教材および語句の記憶に用いる教材の様式に関する。
【背景技術】
【０００２】  従来の読解問題や語学訳問題の学習に用いるコンピュータ教材は皆無である。考えられる様式は、図１１に示すように、読解問題／語学訳問題の文（５）に対し、対応する訳語句を記入させる（６）ものである。
【発明の開示】
【発明が解決しようとする課題】
【０００３】  しかしながら、以上の技術によれば、訳語表現が解答者によって様々な形が考えられるので、その処理をコンピュータですることはきわめて困難であった。
そこで、この発明は、読解問題や語訳問題をコンピュータ上で可能にすることを課題とする。
【課題を解決するための手段】
【０００４】  以上の課題を解決するために、第一発明は、文を５Ｗ１Ｈ（いつ＜Ｗｈｅｎ＞／どこで＜ｗｈｅｒｅ＞／だれが＜ｗｈｏ＞／何を＜ｗｈａｔ＞／なぜ＜ｗｈｙ＞／どのようにして＜ｈｏｗ＞）のような、順番を入れ替えても意味の通るまとまりに分け、それごとに語句の意味を選択等をさせることにより、コンピュータ上で読解問題／語訳問題をするのを可能とした教材群（これを「分割式語学訳選択／入力システム」と称する）である。
また、第二発明は、多量のデータを一括処理できるコンピュータ・プログラムによって作成される教材群である。
【発明の効果】
【０００５】  第一発明によれば、読解問題／語訳問題に対する解答の様々な訳語表現に対する処理を可能にし、読解問題／語訳問題をコンピュータ上ですることを可能にする。
また第二発明によれば、多量のデータを一括処理できるため、データの種類に応じて速やかに教材群を構成することができる。
【発明を実施するための最良の形態】
【０００６】  この発明の一実施形態を、図１に示す。読解問題／語学訳問題をまとまりのある意味で分割したデータ（１）を与えると、その中の指定された語句（２）に対し、対応する語訳の選択肢欄（３）を次々と設けることにより読解問題を解法していく。また、その語句の最初の１つ以上の文字を表示（４）することにより、語句確認問題を可能にする。この（２）〜（４）のセットが、コンピュータ・プログラムにより連続的に作成され、教材群を構成する。【０００７】「実施形態の効果」
この実施形態によれば、これまでコンピュータで読解問題をさせることが困難であったが、それが可能になる。また、多人数を教授する場合、個々人への細かい読解訳のチェックが困難であったが、それが可能になる。選択式を取り入れたことにより、容易に読解問題に取り組み、大量に繰り返すことができ、語学習得効果が高まる。【０００８】  加えて、コンピュータ・プログラムによって教材群が作成されることで、多量のデータを使用者の状況に応じて迅速に一括して編集することができる。【０００９】「他の実施形態」
図１の実施形態では、選択肢（３）は４つだが、３択でも５択でも構わない。また語句の最初の１つ以上の文字（４）を示す形式は「イントロ式」として、すでに特許出願してある。
【図面の簡単な説明】
【００１０】
2007140427.tif 000003
【図１１】従来技術から考えられる形式を示す図である。
【符号の説明】
【００１１】      （１）  データ例
（２）  語訳しなければならない語句
（３）  １に対応する語訳の選択肢欄
（４）  語句の最初の１つ以上の文字
（５）  従来の技術で考えられる問題文
（６）  従来の技術で考えられる解答処理
【図１】
2007140427.tif 000004
【図２】
2007140427.tif 000005
【図３】
2007140427.tif 000006
【図４】
2007140427.tif 000007
【図５】
2007140427.tif 000008
【図６】
2007140427.tif 000009
【図７】
2007140427.tif 000010
【図８】
2007140427.tif 000011
【図９】
2007140427.tif 000012
【図１０】
2007140427.tif 000013
【図１１】
2007140427.tif 000014
(57)【要約】【課題】    一脚によるカメラの撮影時に、雲台とカメラを着脱する時間と重量を無くし、一脚に雲台とカメラを付けたまま、撮影位置を移動する不便さを解消し、撮影  チャンスを広げることが出来る。【解決手段】  目の高さまで伸びる杖の、握り部分の上部に、直径５ミリ位の、半球体の突起を付けて、この突起の上に、カメラの底部のネジ穴部を乗せて、カメラ撮影  時の手触れを防ぐ器具。【選択図】図１
2007140420.tif 000002
【特許請求の範囲】
【請求項１】
カメラ撮影の手触れを防ぐため、目の高さまで伸びる杖の、握り部分の上部に、プラスチック製で、直径５ミリ位の半球形の突起を付け、この突起に、カメラの底部のネジ穴部分を乗せて、カメラ撮影時の手振れを防ぐ器具。
【発明の詳細な説明】
【技術の分野】
【０００１】        本発明は、目の高さまで伸びる、杖の握りの上部に、直径５ミリ位の半球形の突起を付け、この突起に、カメラの底部のネジ穴部分を乗せて、カメラ撮影時の手振れを防ぐ器具である。
【背景技術】
【０００２】        従来の、一脚によるカメラの固定器具に使う、雲台の使用を不用にした。
【発明の開示】
【発明が解決しようとする課題】
【０００３】        従来の一脚使用による撮影は、一脚に雲台とカメラを着脱する時間と、雲台とカメラを接続したまま担いで、撮影場所を移動する不便があった。        本案を採用することで、一脚に雲台やカメラを着脱する必要がなくなり、撮影までの時間短縮と、撮影場所の移動が楽になり、雲台の重量の軽減と、雲台持参の格納場所を不用にした。
【課題を解決するための手段】
【０００４】        目の高さまで伸びる、杖の握り部分の上部に、プラスチック製の、直径５ミリ位の半球体の突起を付け、この突起に、カメラ底部のネジ穴部分を乗せて撮影をすれば、一脚に雲台を付けた撮影と同等に近い、カメラ振れを防ぐ効果がある。
【発明の効果】
【０００５】        目の高さまで伸びる、杖の上部の突起に、カメラの底部のネジ穴を乗せるだけで雲台を使用して撮影した場合と、同等に近いカメラの手振れ防止効果がある。        従来の、一脚によるカメラの雲台使用を無くしたことにより、雲台の体積と重量と格納場所と、カメラ撮影時の、雲台使用の着脱時間を無くし、一脚に雲台とカメラを付けたままで、撮影場所を移動する、運搬手段を解消した。
【発明を実施するための最良の形態】
【０００６】        目の高さまで伸びる。杖の上部の突起に、カメラ底部のネジ穴部を乗せ、撮影する対象に向けてシャッターを切る。
【実施例】
【０００７】        本考案の、杖と一脚の撮影器具を使う場合は、カメラと一脚が分離しているから必ず、カメラの紐は首に掛け、杖の紐に手を通して撮影を行ない、カメラの落下と、杖の転倒を防ぐ必要があります。
【実施例】
【０００８】        本器具を使い、一眼レフカメラに望遠レンズを付けて、ファインダー内の、遠景の固定度合いを見れば、手持ちカメラと比較にならないほど、遠景の揺れ具合が極端に少くなる。
【実施例】
【０００９】        本器具を使い、シャッターを押さない手で、杖の先端を握り、その手の指先でカメラのフードを支えて、ファインダー内の、遠景の固定度合いを見れば、カメラは二点で支えられるので、カメラの固定度合いが、一層高くなります。
【実施例】
【００１０】        既存の目の高さまで伸びる杖の、握り部分の上面に穴を明け、「図８」の「記号９」に接着剤を塗って、「図８」を挿入して固定すれば、「図３」同様に使える。
【実施例】
【００１１】        目の高さまで届かない杖に、「図３」符号「９」と、「図２」符号「６」を付ければ、百の高さまで撮影の支点が伸びる。
【図面の簡単な説明】
【００１２】
【図１】目の高さまで伸びる杖の、上部に付けた半球形の突起に、カメラを乗せた正面図。
【図２】目の高さまで届かない杖に、杖の高さを伸ばす、中間棒をネジ込み、杖を目の高さまで伸ばして、杖の上部の突起に、カメラを乗せた正面図。
【図３】目の高さまで伸びる杖の、握りの部分の上部に、カメラを乗せる突起部分を、着脱出来るようにした部分の断面図。
【図４】目の高さまで届かない杖に、杖の高さを伸ばす、中間棒をネジ込んだ部分の断面図。
【図５】「図３」の上面図。
【図６】「図４」の上面図。
【図７】カメラを乗せる突起部と、杖の握りの部分と一体化した部分の断面図。
【図８】杖の握りの上部に穴の明く杖に、本図の符号「９」を挿入して、符号「１」「８」と同様の効果を出す部品の断面図。
【符号の説明】
【０００１３】    １  カメラを撮影時点に乗せる突起部。    ２  杖の握りの部分。    ３  杖が伸縮する部分。    ４  杖の伸縮を固定する部分。    ５  撮影時に、杖や中間棒を、手から外れない為の腕輪。    ６  目の高さまで届かない杖に、カメラの撮影位置を、上げる為の中間棒。    ７  目の高さまで届かない杖に、中間棒を取り付けた位置。    ８  カメラを乗せる、突起先端の、直径５ミリ位の半球体部分。    ９  杖の握り部分の上部に穴を明けて、「図８」を挿入する時に接着剤を塗る部分。
【図１】
2007140420.tif 000003
【図２】
2007140420.tif 000004
【図３】
2007140420.tif 000005
【図４】
2007140420.tif 000006
【図５】
2007140420.tif 000007
【図６】
2007140420.tif 000008
【図７】
2007140420.tif 000009
【図８】
2007140420.tif 000010
(57)【要約】【課題】  響きを柔らかくしたり、自身が演奏できる高音域のレベルを上げることも可能な金管楽器用マウスピースを提供すること。【解決手段】  カップ１の表面及びスロート２の外周面をメッキし、シャンク３の外周面の少なくとも一部にシャンクの素材自身を露出させてあることを特徴とする金管楽器用マウスピース。シャンク３の外周面全域にシャンクの素材自身を露出させる。【選択図】      図１
2007140058.tif 000002
【特許請求の範囲】
【請求項１】
カップ（１）の表面全域及びスロート（２）の外周面全域をメッキし、シャンク（３）の外周面の少なくとも一部にシャンクの素材自身を露出させてあることを特徴とする金管楽器用マウスピース。
【請求項２】
シャンク（３）の外周面全域にシャンクの素材自身を露出させてあることを特徴とする請求項１記載の金管楽器用マウスピース。
【発明の詳細な説明】
【技術分野】
【０００１】
本発明は、トランペット、コルネット等の金管楽器用マウスピースに関する。
【背景技術】
【０００２】
金管楽器用マウスピースは唇の触れるカップだけでなく、スロートの外周面からシャンクの外周面全域に亘ってメッキを施してあるのが一般的である。
【０００３】
上記マウスピースの材質としては真鍮が一般的であり、銀メッキをその表面に施して、耐久性を向上してある。本発明者はこのような一般的なマウスピースを長年に亘って使用し続けていたが、響きが硬いと感じていた。
【発明の開示】
【発明が解決しようとする課題】
【０００４】
本発明は上記実情を考慮して創作されたもので、その目的とするところは、響きを柔らかくすることのできる金管楽器用マウスピースを提供することである。
【０００５】
ところで、演奏技能の有無を見分ける際には、演奏できる高音域のレベルがどの程度なのかという判断基準がある。
【０００６】
従って、単に響きを柔らかくするだけでなく、自身が演奏できる高音域のレベルを上げることも可能な金管楽器用マウスピースを提供することも本発明の目的の一つである。
【課題を解決するための手段】
【０００７】
本発明者は従来より真鍮の外周面全域を銀メッキしたマウスピースで演奏していたが、あるとき、シャンクの外周面のメッキを剥がせば、響きを柔らかくできるのではないかと考え、実践したところ、結果は大変良好であった。また、本発明者は従来使用していたマウスピースではスペシャルハイノートという高音域を出し難いと感じていたが、シャンクの外周面全域のメッキを剥がしたマウスピースで演奏したときには、今までに感じたことのない程、演奏しやすく、充分な満足感が得られた。真鍮の銀メッキは耐久性の向上という観点では必要かもしれないが、あくまでも唇の触れるカップの表面や指で摘むスロートの外周にメッキをしてあれば充分で、シャンク外周面のメッキについては不要であり、メッキによって音を変えているとの思想に至った。
【０００８】
上記思想に基づいて本発明の金管楽器用マウスピースは創作されたもので、カップの表面全域及びスロートの外周面全域をメッキし、シャンクの外周面の少なくとも一部にシャンクの素材自身を露出させてあることを特徴とする。また、シャンクの外周面全域にシャンクの素材自身を露出させてあることを特徴とする。
【発明の効果】
【０００９】
本発明の金管楽器用マウスピースを用いれば、カップの表面及びスロートの外周面のメッキによって耐久性およびメンテナンス性が向上するだけでなく、シャンクの外周面にシャンクの素材自身が露出していることによって響きが柔らかくなったと発明者は感じた。また、シャンクの外周面全域に亘ってシャンクの素材自身が露出しているものを用いた場合には、高音域を演奏しやすく感じた。なお、高音域に限らず、中音域、低音域も演奏しやすく感じた。
【発明を実施するための最良の形態】
【００１０】
金管楽器用マウスピースは、カップ１、スロート２、シャンク３からなる本体４を真鍮製とし、カップ１の表面全域及びスロート２の外周面全域について銀、金、クロームのメッキを施す。そして、図１の実施例１では、スロート２の内周面全域とシャンク３の内周面全域だけでなく、シャンク３の外周面全域をも真鍮を露出させてある。
【００１１】
また、図２の実施例２では、シャンク３の外周面全域のうち、シャンク３の先端面からその全長の２／３に亘って真鍮を露出し、残りの１／３（スロート側の部分）にはメッキを施してある。このようにすると本発明者は低音域と中音域を演奏しやすいと感じた。
【００１２】
図３の実施例３では、シャンク３の外周面全域のうち、シャンク３の先端面からその全長の１／３に亘って真鍮を露出し、残りの２／３（スロート側の部分）にはメッキを施してある。このようにすると、本発明者は低音域を演奏しやすいと感じた。
【００１３】
金管楽器用マウスピースは、図４に示すように、金管楽器のレシーバー５に差し込んで使用する。金管楽器用マウスピースから発生した音波はレシーバー５の奥側に付いている吹込管６を通過していくが、金管楽器自身も通常、真鍮製なので、シャンクと金管楽器が真鍮という同一材料で繋がっていることになり、金管楽器から発生する音に好影響を与えるものと思われる。
【図面の簡単な説明】
【００１４】
【図１】金管楽器用マウスピースの実施例１を示す一部切欠正面図である。
【図２】金管楽器用マウスピースの実施例２を示す正面図である。
【図３】金管楽器用マウスピースの実施例３を示す正面図である。
【図４】金管楽器用マウスピースの使用例を示す断面図である。
【符号の説明】
【００１５】
１  カップ、  ２  スロート、  ３  シャンク、  ４  本体、  ５  レシーバー、  ６  吹込管
【図１】
2007140058.tif 000003
【図２】
2007140058.tif 000004
【図３】
2007140058.tif 000005
【図４】
2007140058.tif 000006
(57)【要約】【課題】  デバイスドライバが起動時に情報取得システムが取得しているデバイス情報を参照する場合、情報取得のポーリング間隔が一定の場合に、取得時間とポーリング時間の時間差が大きく、デバイス情報の信頼性が低い場合がある。【解決手段】  デバイスドライバの起動間隔により、情報取得のポーリング間隔を変更して、また、デバイスドライバ起動時にデバイス情報の信頼性をチェックすることにより、デバイス情報の信頼性を向上させる。【選択図】  図１
2007140770.tif 000002
【特許請求の範囲】
【請求項１】
デバイスドライバの起動間隔により、デバイス情報取得用モジュールのデバイスへのポーリング間隔を決定するポーリング時間制御部を備えたことを特徴とする情報取得システム。
【請求項２】
デバイスドライバが情報を参照する場合、信用できるデータが否かを判別可能な前記デバイスドライバを備えたことを特徴とする請求項１に記載の情報取得システム。
【請求項３】
起動時に前記ポーリング制御部に起動したことを通知可能な前記デバイスドライバを備えたことを特徴とする請求項１又は請求項２に記載の情報取得システム。
【発明の詳細な説明】
【技術分野】
【０００１】
本発明は、ポーリングによりデバイスから取得した情報をデバイスドライバが起動時に使用することを前提として、デバイスドライバの起動時に使用する前記デバイス情報の信頼性を向上させるための情報取得システムに関する。
【背景技術】
【０００２】
プリンタの状態情報を認識できると共に、プリンタの状態情報に応じて予め設定された複数の時間間隔からプリンタに状態情報を要求するコマンドを送信するのに適当な時間間隔を選択でき、さらに、プリンタの状態変化とホストコンピュータで表示されるプリンタの状態情報との時間差を軽減できると共に、ホストコンピュータ、およびプリンタのパフォーマンスの悪化を回避することができる情報処理装置、およびプリンタ制御方法を施したものがある(例えば、特許文献１参照。)
【特許文献１】特開平９−２５１３５６
【発明の開示】
【発明が解決しようとする課題】
【０００３】
しかしながら、デバイスドライバが起動した際に使用するデバイス情報の信頼性は考慮されておらず、いつ取得したデバイス情報であるか判定していないため、デバイス情報は信頼性に欠ける。
【課題を解決するための手段】
【０００４】
本発明では、前記の問題を解決するために、請求項１によれば、デバイスドライバの起動間隔により、デバイス情報取得用モジュールのデバイスへのポーリング間隔を決定することを可能とする。また、請求項２によれば、デバイスドライバが情報を参照する場合、信用できるデータが否かを判別可能とする。また、請求項３によれば、起動時に前記ポーリング制御部に起動したことを通知可能とする。
【発明の効果】
【０００５】
上記解決手段により、デバイスドライバが起動時に一定の間隔でポーリングして取得した情報を使用する時に比べ、デバイス情報のデータの信頼性を向上させることが可能である。
【発明を実施するための最良の形態】
【０００６】
次に、本発明の詳細を実施例の記述に従って説明する。
【０００７】
以下、図面に基づいて発明の実施例について詳細に説明する。
【０００８】
図１に示しているネットワークシステム構成図には、ポーリング時間制御部、デバイス情報取得部を備えた情報取得システム、およびデバイスドライバを備えたホストPC１１、デバイス情報取得システムより情報取得が可能なデバイス１２、１３、１４、１５が接続されている。
【０００９】
ここで、デバイスドライバが起動した際のフローについて図２を使用して説明する。デバイスドライバが起動して、デバイス情報取得部よりデバイス情報を取得する際、Ｓ２０１において、Ｄ２１より、デバイス情報、および情報更新時間を取得する。次にＳ２０２において、現在時刻を取得する。Ｓ２０３において、前記情報更新時間、現在時刻、およびポーリング間隔より、情報更新時間と現在時刻の間がポーリング間隔より長い場合は、データの信頼性なし、逆に情報更新時間と現在時刻の間がポーリング間隔より短い場合は、データの信頼性ありとする。Ｓ２０４において、データの信頼性なしと判断した場合は、Ｓ２０５において、データの信頼性がないことを通知し、「今すぐ情報取得を行う」、「構わずデータを使用する」、「データを使用しない」を選択可能とする。ここで、「今すぐ情報取得を行う」を選択した場合は、Ｓ２０６において、デバイスの情報取得を行い、取得の成功、失敗に関わらずデイバスドライバの起動時処理は終了とする。また、Ｓ２０５において、「構わずデータを使用する」、「データを使用しない」を選択した場合は、デイバスドライバの起動時処理は終了とする。
【００１０】
また、ユーティリティ起動時のポーリング時間の変更処理について図３を使用して説明する。Ｓ３０１においてポーリング制御部では、Ｄ３１より、デバイスドライバ起動間隔情報を取得する。そして、前記デバイスドライバ起動間隔情報より、ポーリング間隔をデバイスドライバ起動間隔より短い時間として決定する。Ｓ３０２においてポーリング間隔の変更ありと判断した場合は、Ｓ３０３において、ポーリング間隔の変更処理を行った後、処理を終了する。また、Ｓ３０２において、ポーリング間隔の変更なしと判断した場合は、そのまま処理を終了する。
【００１１】
なお、図４はポーリング制御部内におけるデバイス名、デバイスドライバ起動間隔情報である。
【図面の簡単な説明】
【００１２】
【図１】ポーリング時間制御部、デバイス情報取得部を備えた情報取得システム、およびデバイスドライバを備えたホストPC、および前記デバイス情報取得部により、情報取得が可能な手段を備えたデバイスからなるネットワークシステム構成図である。
【図２】デバイスドライバが起動した際に、デバイス情報の信頼性を判定するフローである。
【図３】ユーティリティ起動時にポーリング時間の変更を行うフローである。
【図４】ポーリング制御部内におけるデバイス名、デバイスドライバ起動間隔情報である。
【符号の説明】
【００１３】
１１  ポーリング時間制御部、デバイス情報取得部を備えた情報取得システム、およびデバイスドライバを備えたホストPC
１２  デバイス情報取得部により、情報取得が可能な手段を備えたデバイスＡ
１４  デバイス情報取得部により、情報取得が可能な手段を備えたデバイスＢ
１３、１５  デバイス情報取得部により、情報取得が可能な手段を備えたデバイスＣ
【図１】
2007140770.tif 000003
【図２】
2007140770.tif 000004
【図３】
2007140770.tif 000005
【図４】
2007140770.tif 000006
(57)【要約】      （修正有）【課題】石器表面への漆の塗着力を高め、石器の強度の補強並びに絵付けを可能ならしめることができる宝殿石製石器の表面処理方法を提供する。【解決手段】宝殿石で製作した石器を形状に応じて切削粗取形成した後、粗砥して製作時切削傷を完全に均し、水研磨を砥石番号４００から始め順次１２００迄行い、水洗後煮沸を１０分以上行って消毒及び石粉の除去を行い、完全に乾燥した後、漆１に対して片脳油５の割合で希釈した漆を石器に塗布し、漆１に対して片脳油３の割合で希釈した漆を石器に塗布し、漆１に対して片脳油を１の割合で希釈した漆を石器に塗布して乾燥する。【選択図】なし【特許請求の範囲】
【請求項１】
宝殿石で製作した石器を形状に応じて切削粗取形成した後、水磨きし、煮沸後完全に乾燥した後漆を塗布することを特徴とする宝殿石製石器の表面処理方法。
【請求項２】
宝殿石で製作した石器を形状に応じて切削粗取形成した後、水磨きし、煮沸後完全に乾燥した後漆を塗布することを特徴とするもので、具体的には石器の形状に応じて粗砥して製作時の切削傷を完全に均し、水研磨を砥石番号４００から始め順次１２００迄行い、水洗後煮沸を１０分以上行って消毒及び石粉の除去を行い、完全に乾燥させた後、漆１に対して片脳油５の割合で希釈した漆を石器に塗布し、漆１に対して片脳油３の割合で希釈した漆を石器に塗布し、漆１に対して片脳油１の割合で希釈した漆を石器に塗布して乾燥するようにしたことを特徴とする請求項１記載の宝殿石製石器の表面処理方法。
【発明の詳細な説明】
【技術分野】
【０００１】    本発明は、宝殿石製石器の表面処理方法に関するものである。
【背景技術】
【０００２】  宝殿石とは、兵庫県高砂市で採取され、竜山石とも呼ばれる白亜紀にできた流紋岩質溶結凝灰岩の石で、微細な多孔性の石のことをいう。【０００３】  宝殿石には天然で赤、青、黄色の三色のものがあり、この色を生かした食器、花器、茶器等の石器が製作されているが、宝殿石は微細な多孔性の石であるが故に水等の浸透性が高く、宝殿石で製作した石器の一面側の表面に絵付け即ち絵柄を描いても色の染み込みが良すぎて絵柄がぼやけたり、絵の具の量が多くなるだけでなく、厚みが薄い場合には強度的に弱いという問題点があり、天然素材を生かした厚みの厚い石器しか提供できなかった。
【発明が解決しようとする課題】
【０００４】  そこで、石器表面を漆でコーティングして強度の補強並びに絵付けを可能ならしめようと試みたが、宝殿石で製作した状態の侭で石器の表面に単に漆を塗るだけでは漆の塗着力が弱く、絵付けしても短時間でコーティング皮膜が剥がれるという問題点があった。
【発明の目的】
【０００５】  本発明は、石器表面への漆の塗着力を高め、石器の強度の補強並びに絵付けを可能ならしめることができる宝殿石製石器の表面処理方法を提供することにある。
【課題を解決するための手段】
【０００６】  本発明の宝殿石製石器の表面処理方法は、宝殿石で製作した石器を形状に応じて切削粗取形成した後、水磨きし、煮沸後完全に乾燥した後漆を塗布することを特徴とするものである。
【発明の作用】
【０００７】  本発明に係る宝殿石製石器の表面処理方法では、石器を形状に応じて切削粗取形成した後、水磨きし、煮沸することにより石器表面の孔部分が適度に潰れ、漆の塗着が可能となる。
【発明の実施の態様】
【０００８】  本発明の実施の態様を具体的に説明する。
【０００９】  本発明の宝殿石製石器の表面処理方法の工程は、
▲１▼石器の形状に応じて粗砥して製作時の切削傷を完全に均す。
▲２▼水研磨を砥石番号４００から始め順次１２００迄行う。
▲３▼水洗後煮沸を１０分以上行って消毒及び石粉の除去を行う。
▲４▼完全に乾燥させた後、漆１に対して片脳油５の割合で希釈した漆を石器に塗布する。
▲５▼室温で１〜２日放置乾燥する。
▲６▼次いで、漆１対して片脳油３の割合で希釈した漆を石器に塗布する。
▲７▼漆１に対して片脳油１の割合で希釈した漆を石器に塗布して乾燥する。
以上の工程により石器表面に漆が完璧に塗着され、絵付けが可能となる。
【００１０】  即ち、切削、研磨した宝殿石製石器に最初薄めた漆を塗布し、乾燥後、徐々に濃度の濃い漆を塗布し、絵付けをした後最後に透明の漆を塗布して製品とするものである。
【発明の効果】
【００１１】  以上述べた如く、本発明に係る宝殿石製石器の表面処理方法によれば、宝殿石で製作した石器を形状に応じて切削粗取形成した後、水磨きし、煮沸後完全に乾燥した後漆を塗布することを特徴とするもので、具体的には石器の形状に応じて粗砥して製作時の切削傷を完全に均し、水研磨を砥石番号４００から始め順次１２００迄行い、水洗後煮沸を１０分以上行って消毒及び石粉の除去を行い、完全に乾燥させた後、漆１に対して片脳油５の割合で希釈した漆を石器に塗布し、漆１に対して片脳油３の割合で希釈した漆を石器に塗布し、漆１に対して片脳油１の割合で希釈した漆を石器に塗布して乾燥するようにしたものであるから、従来では不可能であった石器表面への漆の塗着力を高め、石器の強度の補強並びに絵付けを可能ならしめることができるようになったものである。
【００１２】  また、本発明に係る宝殿石製石器の表面処理方法によって製作された石器は、宝殿石本来の手触りの滑らかさとコーティングされた漆とが相俟って旧来ない新しい感覚の石器を提供できるに至ったもので、漆がコーティングされているので、通水性、通気性がなくなり、従来では不可能であった茶道で使用される抹茶の容器である棗をも製作することができ、現在使用されている陶磁器と同じような需要も望める優れた石器を提供できるものである。
【００１３】  更に、従来の木製の漆器類の場合、漆と木の収縮膨張率が合わないため剥離が起き易く、洗浄や保存のときに配慮が必要であったが、本発明の方法により漆をコーティングした石器の場合、漆と石の収縮膨張率に差が殆どないだけでなく、漆の石に対する吸着が良いため、漆絵付けした物であっても煮沸や電子レンジによる加熱が可能になり、通常の陶磁器と同じ感覚で洗浄、保存を行うことができるものである。
(57)【要約】【課題】  フライパンの重さと中の材料の重さとで、大量に振れなかった。【解決手段】  レンジに固定するアーム１を設け引きバネを吊り下げる。そのバネの下部に回転盤４を取り付ける。フライパンの柄を手前として奥の方に凸部３を取り付ける。回転盤４の穴にフライパンの凸部３を噛み合せ回転盤を回転させバネの弾性によりフライパンの振る操作をする。【選択図】図１
2007229422.tif 000002
【特許請求の範囲】
【請求項１】
レンジに固定するアームを設ける。そのアームは取っ手があり、フライパンとセットで移動出来るようにする。
【請求項２】
前記のアームにバネを取り付ける。
【請求項３】
前記のバネの下部に回転盤を取り付けて、回転盤の穴にフライパンの先に取り付けた凸部を通して回転盤を回転させることでフライパンの中の材料を掻き回すバネ回転いためフライパン。
【発明の詳細な説明】
【技術分野】
【０００１】  本発明は炒め物を作る時に中の材料を掻き回すフライパンの装置である。
【背景技術】
【０００２】  従来、各職種において掻き回す道具は数多くあったが、フライパンは、油汚れ、高温と悪条件が重なり常に手入れの必要なもので、掻き回す装置があると却って邪魔になることがあった。そのため改良されず現在も手で振る操作で炒め物をしていた。
【発明の開示】
【発明が解決しようとする課題】
【０００３】  フライパンを振るということは、フライパンの重さと中の材料の重さとで、焼きそば、スパゲッティーなどはフライパンでは大量に作れなかった。この掻き回し操作を、アーム上のバネの下部に回転盤を付けて、解決しようとするものである。
【課題を解決するための手段】
【０００４】  図１のアーム１を取っ手６でレンジに固定する。図２のフライパンの柄を手前として奥に鍵状の凸部を取り付ける。その凸部３を図１のアーム１に吊るした引きバネ５の下部に取り付けた回転盤４の穴２に噛み合せる。【０００５】  回転盤はアーム１の柱をリングで上下してフライパンの柄を動かすとバネの弾性でフライパンを振ることができるようになり、また、回転盤の回転によりフライパンの中の材料を回転掻き回すことが出来る。
【発明の効果】
【０００６】  本発明により、今までフライパンとフライパンの中の材料の重さが人の腕にかかっていたが、吊るされた状態のバネと回転盤の効果により向こう側を持って動かしたように楽にフライパンを振ることが出来アームは取っ手があり、フライパンとセットで移動出来るので便利である。
【発明を実施するための最良の形態】
【０００７】  図３のようにアーム１にバネ５を吊るしリング７で回転盤４を上下に自由に動くようにする。穴２にフライパンの鍵３を噛み合せ回転盤を回転しながらバネ５の伸び縮みでリズムを取りフライパンを振る操作をする。
【産業上の利用可能性】
【０００８】  今まで大量に出来なかった手動作を、バネと回転盤により大量に掻き回すことが出来るので容易である。
【図面の簡単な説明】
【０００９】
【図１】  アームの斜視図である。
【図２】  フライパンの斜視図である。
【図３】  アーム部分の裏面図である。
【符号の説明】
【００１０】  １．  アーム
２．  穴
３．  鍵状の凸部
４．  回転盤
５．  引きバネ
６．  アームの取っ手
７．  上下する回転盤を固定するリング
８．  バネ固定ネジ
【図１】
2007229422.tif 000003
【図２】
2007229422.tif 000004
【図３】
2007229422.tif 000005